(57)【要約】      （修正有）【課題】理美容施術の妨げとならず、衛生を保つことができるマスクを提供する。【解決手段】マスク１は、１枚の薄葉紙から形成されたマスク本体２と、着用者の頬に着脱される着脱部１２とを有し、マスク本体２は、中心線上に形成された中心折目部３と、マスク本体２のうち中心折目部３における上端の近傍に取り付けられた留め部４と、この留め部４によって、マスク本体２のうち中心折目部３における上端部の近傍に形成された鼻受部５と、この鼻受部５の両端であってマスク本体２の上端部に形成された庇部６とを有している。【選択図】図１
0003231476.tif 000002
【実用新案登録請求の範囲】
【請求項１】
着用者の口及び鼻を覆うマスク本体と、
前記マスク本体のうち、前記着用者の頬に対面する部位に備えられ、前記頬に着脱される着脱部と、を有する、
ことを特徴とするマスク。
【請求項２】
前記マスク本体の上端部が前記着用者側に折れ、前記着用者の顔面から、正面かつ下方に向けて傾斜した庇部を有する、
ことを特徴とする請求項１に記載されたマスク。
【請求項３】
前記マスク本体が、中心線に対して左右対称に形成された薄葉紙であって、
前記中心線に形成された折目部と、
左右の前記薄葉紙が重なった状態で、前記マスク本体のうち、前記折目部における上端の近傍を留める留め部と、を有する、
ことを特徴とする請求項１又は２に記載されたマスク。
【請求項４】
前記マスク本体が、衛生紙であり、
前記着脱部が、医療用テープである、
ことを特徴とする請求項１から請求項３のいずれか１項に記載されたマスク。
【考案の詳細な説明】
【技術分野】
【０００１】
本考案は、口及び鼻を覆うマスクに関するものである。
【背景技術】
【０００２】
従来、例えば、花粉、埃、ウィルス等（以下、「飛散物」と記す。）のアレルギー症や感染症を予防するために、口や鼻を覆うマスクがある。例えば、下記特許文献1に記載された立体布マスク（以下、「文献公知１発明」と記す。）は、マスク本体の両端に形成された孔が、着用者の耳に引っ掛けるための耳掛け部となっている。
【先行技術文献】
【特許文献】
【０００３】
【特許文献１】登録実用新案第３２２９９７４号公報
【考案の概要】
【考案が解決しようとする課題】
【０００４】
ところで、例えば、理美容施設等においては、マスクを着用したままでヘアカット等の施術が行われると、耳掛け部が、耳の周りの毛髪をカットする際の妨げとなる。また、シャンプーやスカルプマッサージ等の施術では、耳掛け部が濡れることや、カラー剤やパーマ液等の薬液が耳掛け部に付着することに、施術者が注意を払うことで、施術が円滑に行われない場合がある。
【０００５】
本考案は、この様な実情に鑑みて提案されたものである。すなわち、理美容施術の妨げとならず、衛生を保つことができるマスクの提供を目的とする。
【課題を解決するための手段】
【０００６】
上記目的を達成するために、本考案に係るマスクは、着用者の口及び鼻を覆うマスク本体と、前記マスク本体のうち、前記着用者の頬に対面する部位に備えられ、前記頬に着脱される着脱部と、を有する、ことを特徴とする。
【０００７】
本考案に係るマスクは、前記マスク本体の上端部が前記着用者側に折れ、前記着用者の顔面から、正面かつ下方に向けて傾斜した庇部を有する、ことを特徴とする。
【０００８】
本考案に係るマスクは、前記マスク本体が、中心線に対して左右対称に形成された薄葉紙であって、前記中心線に形成された折目部と、左右の前記薄葉紙が重なった状態で、前記マスク本体のうち、前記折目部における上端の近傍を留める留め部と、を有する、ことを特徴とする。
【０００９】
本考案に係るマスクは、前記マスク本体が、衛生紙であり、前記着脱部が、医療用テープである、ことを特徴とする。
【考案の効果】
【００１０】
本考案に係るマスクは、着用者の口及び鼻を覆うマスク本体と、このマスク本体のうち、着用者の頬に対面する部位に備えられ、頬に着脱される着脱部とを有している。すなわち、着脱部が頬に着脱することで、マスク本体が頬によって支持され、マスク本体で着用者の鼻や口が覆われる。換言すれば、着用者は、耳を介さずにマスクを装着する。施術の妨げとなるものが耳の周囲に存在しないため、理美容施術の妨げとならないし、鼻や口が覆われているため、衛生を保つことができる。
【００１１】
本考案に係るマスクは、マスク本体の上端部が着用者側に折れ、着用者の顔面から、正面かつ下方に向けて傾斜した庇部を有している。この構成により、着用者の顔面とマスク本体との間が、庇部で塞がれる。したがって、カットされた毛髪が鼻や口に当たることが無い。さらに、庇部は、顔面から正面かつ下方に向けて傾斜しているため、毛髪が顔面とマスク本体との間に入らないうえ、毛髪は、庇部の表面を滑り落ちる。
【００１２】
本考案に係るマスクは、マスク本体が、中心線に対して左右対称に形成された薄葉紙であって、折目部と留め部とを有している。折目部は、中心線に形成され、留め部は、左右の薄葉紙が重なった状態におけるマスク本体のうち、折目部における上端の近傍を留めている。すなわち、マスクは１枚の薄葉紙から構成されているため、構造が簡便である。また、留め部によって、一部が立体的となるため、鼻に当てることができる。
【００１３】
本考案に係るマスクは、マスク本体が衛生紙であり、着脱部が医療用テープである。したがって、市販品の材料で作製することができる。
【図面の簡単な説明】
【００１４】
【図１】図１は、本考案の実施形態に係るマスクの外観斜視図である。
【図２】図２は、本考案の実施形態に係るマスクの使用状態が示された側面図である。
【図３】図３は、本考案の実施形態に係るマスクの展開図である。
【図４】図４は、本考案の実施形態に係るマスク側面図である。
【考案を実施するための形態】
【００１５】
以下に、本考案の実施形態に係るマスクを図面に基づいて説明する。図１は、本実施形態に係るマスク１の外観が示されている。図２は、マスク１の使用状態が示されている。図３は、展開されたマスク１が示され、図４は、折り畳まれたマスク１が示されている。
【００１６】
図１及び２に示されているとおり、マスク１は、着用者１３の口及び鼻を覆うためのマスク本体２と、このマスク本体２のうち、着用者１３の頬に対面する部位に備えられ、頬に着脱される着脱部１２とを有している。マスク本体２の素材は、例えば、キッチンペーパー、ペーパータオル、不織布、ティッシュペーパー等の衛生紙である。なお、素材は、綿、シルク等であってもよい。マスク本体２は、着用者１３の口及び鼻を覆うことができる程度の大きさである。マスク本体２は、このマスク本体２の中心線上に形成された中心折目部３と、マスク本体２のうち中心折目部３における上端の近傍に取り付けられた留め部４と、この留め部４によって、マスク本体２のうち中心折目部３の上端部の近傍に形成された鼻受部５と、この鼻受部５の両端であってマスク本体２の上端部に形成された庇部６とを有している。
【００１７】
着脱部１２は、例えば、紙や不織布に粘着層が形成された医療用テープ、マスキングテープ、粘着テープ等であり、着脱による肌への刺激が可能な限り少ないものが好ましい。留め部４は、例えば、マスキングテープ、粘着テープ等である。なお、留め部４は、糊等の接着剤であってもよい。
【００１８】
図３に示されているとおり、マスク本体２は、一枚の薄葉紙から形成されたものであって、中心折目部３である中心線に対して左右対称に形成されている。マスク本体２の上端部には、鼻受部５と庇部６とが形成されている。マスク本体２は、下方に向けて凸弧状に湾曲した弧状縁部７と、この弧状縁部７の左右両端である着脱縁部８と、マスク本体２のうち、中心折目部３における上端から左右かつ斜め上方に向けて直線状に伸びた第一傾斜縁部９と、この第一傾斜縁部９の先端から左右かつ斜め下方に向けて直線状に伸びると共に着脱縁部８に至る第二傾斜縁部１０とを有している。第一傾斜縁部９と着脱縁部８との間に、庇用折目部１１が形成されている。庇用折目部１１から上方は、庇部６であり、一方で、庇用折目部１１から下方であって中心折目部３の近傍が、鼻受部５である。
【００１９】
着脱縁部８には、着脱部１２が取り付けられている。着脱部１２は、一部が着脱縁部８に貼り付けられ、着脱縁部８から側方に向けて張り出している。第一傾斜縁部９には、留め部４が取り付けられている。留め部４の一部は、鼻受部５に貼り付けられている。
【００２０】
図４に示されているとおり、マスク本体２が中心折目部３で二つ折りにされ、重ねられた状態で、鼻受部５は、留め部４によって留められている。着脱部１２は、一枚の剥離シート１４を介して互いに重ねられている。
【００２１】
次に、マスク１の使用方法を、効果と共に説明する。
【００２２】
上記したとおり、マスク本体２の素材は、例えば、キッチンペーパー、ペーパータオル、不織布、ティッシュペーパー等の衛生紙であり、一方で、着脱部１２は、例えば、紙や不織布に粘着層が形成された医療用テープ、マスキングテープ、粘着テープ等であり、留め部４は、例えば、マスキングテープ、粘着テープ等である。すなわち、二つ折りにされた衛生紙が、弧状縁部７、着脱縁部８、第二傾斜縁部１０及び第一傾斜縁部９に沿って、鋏等で切り取られることで、マスク本体２が作製され、着脱部１２及び留め部４が貼り付けられる。したがって、マスク１を、市販品の材料で作製することができる。また、マスク１は１枚の薄葉紙から構成されているため、構造が簡便である。
【００２３】
図１に示されているとおり、マスク１は、着脱部１２から剥離シート１４が剥がされ、左右に広げられる。その際、鼻受部５は、留め部４によって留められているため、立体的に張り出す。したがって、図２に示されているとおり、鼻受部５に鼻を当てることができる。
【００２４】
図２に示されているとおり、マスク本体２は、着用者１３の口及び鼻を覆い、着脱部１２は、着用者１３の頬に貼り付けられる。すなわち、着脱部１２が頬に着脱することで、マスク本体２が頬によって支持され、マスク本体２で着用者１３の鼻や口が覆われる。換言すれば、着用者１３は、耳を介さずにマスク１を装着する。施術の妨げとなるものが耳の周囲に存在しないため、理美容施術の妨げとならないし、鼻や口が覆われているため、衛生を保つことができる。
【００２５】
マスク本体２の上端部である庇部６は、庇用折目部１１において着用者側に折られ、着用者１３の眼の下あたりに当てられる。すなわち、庇部６は、着用者１３の顔面から正面かつ下方に向けて傾斜した姿勢となる。この構成により、着用者１３の顔面とマスク本体２との間が、庇部６で塞がれる。したがって、カットされた毛髪が鼻や口に当たることが無い。さらに、庇部６は、顔面から正面かつ下方に向けて傾斜しているため、毛髪が顔面とマスク本体２との間に入らないうえ、毛髪は、庇部６の表面を滑り落ちる。
【００２６】
なお、本考案に係る他の実施形態は、庇部及び庇用折目部を有していない。
他の実施形態は、左右非対称である。
他の実施形態は、中心折目部を有していない。
他の実施形態は、留め部及び鼻受部を有していない。
【００２７】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２８】
１    マスク
２    マスク本体
３    中心折目部（折目部）
４    留め部
５    鼻受部
６    庇部
７    弧状縁部
８    着脱縁部
９    第一傾斜縁部
１０  第二傾斜縁部
１１  庇用折目部
１２  着脱部
１３  着用者
１４  剥離シート
【図１】
0003231476.tif 000003
【図２】
0003231476.tif 000004
【図３】
0003231476.tif 000005
【図４】
0003231476.tif 000006